(57)【要約】【課題】  各無線セルにおけるスループットの低下を回避し、基地局間で無線パケットの転送を行う。【解決手段】  複数の基地局が互いに異なる周波数チャネルで配下の端末局と無線パケットの送受信を行うとともに、基地局間で無線パケットを転送する無線パケット通信方法において、基地局は、配下の端末局と無線パケットの送受信を行っているときに、他の基地局に対して無線パケットを転送する際に、配下の端末局との送受信処理とは独立に、転送先の基地局が使用する周波数チャネルを使用して当該無線パケットの送信処理を行い、転送先の基地局は、自局が使用する周波数チャネルで、配下の端末局から送信された無線パケットおよび他の基地局から自局宛てに転送された無線パケットの受信処理を行う。【選択図】        図１
2006067297.tif 000002
【特許請求の範囲】
【請求項１】
複数の基地局が互いに異なる周波数チャネルで配下の端末局と無線パケットの送受信を行うとともに、基地局間で無線パケットを転送する無線パケット通信方法において、
前記基地局は、他の基地局に対して無線パケットを転送する際に、転送先の基地局が使用する周波数チャネルを使用して当該無線パケットの送信処理を行う
ことを特徴とする無線パケット通信方法。
【請求項２】
複数の基地局が互いに異なる周波数チャネルで配下の端末局と無線パケットの送受信を行うとともに、基地局間で無線パケットを転送する無線パケット通信方法において、
前記基地局は、配下の端末局と無線パケットの送受信を行っているときに、他の基地局に対して無線パケットを転送する際に、配下の端末局との送受信処理とは独立に、転送先の基地局が使用する周波数チャネルを使用して当該無線パケットの送信処理を行い、
前記転送先の基地局は、自局が使用する周波数チャネルで、配下の端末局から送信された無線パケットおよび他の基地局から自局宛てに転送された無線パケットの受信処理を行う
ことを特徴とする無線パケット通信方法。
【請求項３】
複数の基地局が互いに異なる周波数チャネルで配下の端末局と無線パケットの送受信を行うとともに、基地局間で無線パケットを転送する無線パケット通信方法において、
前記基地局は、配下の端末局と無線パケットの送受信に用いている周波数チャネルに対するキャリアセンス処理を行うとともに、他の基地局に対して無線パケットを転送するときに、転送先の基地局が使用する周波数チャネルに対するキャリアセンス処理を行う
ことを特徴とする無線パケット通信方法。
【請求項４】
複数の基地局が互いに異なる周波数チャネルで配下の端末局と無線パケットの送受信を行うとともに、基地局間で無線パケットを転送する無線パケット通信装置において、
前記基地局の配下の端末局と所定の周波数チャネルを使用して無線パケットの送受信を行う第１の送受信処理部と、
転送先の基地局が使用する周波数チャネルを使用して無線パケットの送信処理を行う第２の送受信処理部とを備え、
前記第１の送受信処理部は、配下の端末局から送信された無線パケットおよび他の基地局から自局宛てに転送された無線パケットの受信処理を行う構成である
ことを特徴とする無線パケット通信装置。
【請求項５】
請求項４に記載の無線パケット通信装置において、
前記第２の送受信処理部は、前記転送先の基地局の数に対応して設置され、各基地局が使用する周波数チャネルがそれぞれ設定される
ことを特徴とする無線パケット通信装置。
【請求項６】
請求項４に記載の無線パケット通信装置において、
前記第２の送受信処理部は、前記転送先の基地局の数よりも少ない数で設置されるときに、転送先の基地局が使用する周波数チャネルが切り替えて設定される
ことを特徴とする無線パケット通信装置。
【請求項７】
複数の基地局が互いに異なる周波数チャネルで配下の端末局と無線パケットの送受信を行うとともに、基地局間で無線パケットを転送する無線パケット通信システムにおいて、  前記基地局は、他の基地局に対して無線パケットを転送する際に、転送先の基地局が使用する周波数チャネルを使用して当該無線パケットの送信処理を行う手段を備えた
ことを特徴とする無線パケット通信システム。
【請求項８】
複数の基地局が互いに異なる周波数チャネルで配下の端末局と無線パケットの送受信を行うとともに、基地局間で無線パケットを転送する無線パケット通信システムにおいて、  前記基地局は、配下の端末局と無線パケットの送受信を行っているときに、他の基地局に対して無線パケットを転送する際に、配下の端末局との送受信処理とは独立に、転送先の基地局が使用する周波数チャネルを使用して当該無線パケットの送信処理を行う手段を備え、
前記転送先の基地局は、自局で使用する周波数チャネルで、配下の端末局から送信された無線パケットおよび他の基地局から自局宛てに転送された無線パケットの受信処理を行う手段を備えた
ことを特徴とする無線パケット通信システム。
【請求項９】
複数の基地局が互いに異なる周波数チャネルで配下の端末局と無線パケットの送受信を行うとともに、基地局間で無線パケットを転送する無線パケット通信システムにおいて、  前記基地局は、配下の端末局と無線パケットの送受信に用いている周波数チャネルに対するキャリアセンス処理を行うとともに、他の基地局に対して無線パケットを転送するときに、転送先の基地局が使用する周波数チャネルに対するキャリアセンス処理を行う手段を備えた
ことを特徴とする無線パケット通信システム。
【発明の詳細な説明】
【技術分野】
【０００１】
本発明は、複数の基地局（アクセスポイント）間で無線パケットを転送するための無線パケット通信方法、無線パケット通信装置およびシステムに関する。
【背景技術】
【０００２】
無線パケット通信は、無線ＬＡＮをはじめとする様々なシステムで採用されている通信形態である。無線ＬＡＮの規格については、IEEE802.11委員会で標準化が進められ、IEEE802.11規格（非特許文献１）として制定されている。この規格では、２つの通信モード（インフラストラクチャモード、アドホックモード）が規定されている。
【０００３】
インフラストラクチャモードは、基地局（アクセスポイント）と、その電波到達範囲（無線セル）内に存在する端末局（ステーション）で構成され、基地局とその配下の端末局が無線媒体を介して接続することによって形成される無線ネットワークで使用される通信モードである。基地局は、イーサネット（登録商標）等の有線ネットワークに接続されており、無線ネットワークと有線ネットワークの中継機能をもつ。すなわち、端末局からみたとき、基地局は有線ネットワークへの入り口としての役割を担う。
【０００４】
アドホックモードは、基地局を必要とせず、端末局のみにより構成されるクローズドネットワークで使用される通信モードである。端末局は、一般に無線パケットを中継する機能をもたず、直接互いに無線パケットをやりとりして通信を行う。
【０００５】
図３は、従来の無線パケット通信装置の構成例を示す。図において、無線パケット通信装置は、送受信処理部１０として、変調部１１、無線送信部１２、アンテナ１３、無線受信部１４、復調部１５、パケット選択部１６、キャリア検出部１７を備え、さらに送信バッファ２１、無線パケット生成部２２、送信制御部２３、ヘッダ除去部２４を備える。
【０００６】
IEEE802.11規格の無線パケット通信システムでは、無線パケットの送信に先立って自局が使用する周波数帯域（周波数チャネル）に信号が出力されているかどうかを検出（キャリアセンス）し、信号が検出されない場合にその周波数チャネルが空き状態と判断して無線パケットの送信処理を開始し、信号が検出された場合には送信処理を延期する制御を行う。
【０００７】
無線受信部１４には、アンテナ１３を介して受信された無線信号が入力される。無線受信部１４は、入力された無線信号に対して周波数変換、フィルタリング、直交検波およびＡＤ変換を含む受信処理を行い、受信処理されたベースバンド信号を復調部１５へ出力する。なお、アンテナ１３が送信のために使用されていないときには、チャネルにおける無線伝搬路上の無線信号が常時入力されており、無線受信部１４は無線信号の受信電力強度を表すＲＳＳＩ信号をキャリア検出部１７へ出力する。
【０００８】
キャリア検出部１７は、入力されたＲＳＳＩ信号を用いて周波数チャネルの状態を判定する。一定期間（ＤＩＦＳ＋ＣＷ）に渡って受信電界強度の値が予め設定した閾値以下であった場合に、周波数チャネルが空き状態であると判定し、それ以外の場合にはチャネルがビジー状態であると判定する。キャリア検出部１７は、この判定結果をキャリアセンス結果として送信制御部２３へ出力する。
【０００９】
一方、送信バッファ２１には、当該無線局が基地局の場合には有線ネットワークから、当該無線局が端末局の場合には端末局に接続される装置（パソコンなど）の上位レイヤからデータフレームが入力される。送信バッファ２１は、データフレームが入力されると、送信制御部２３にデータフレームが入力されたことを通知する。あるいは、送信バッファ２１は、蓄積しているデータフレームに関する情報（データフレーム数、データサイズ、データフレームの宛先アドレス等）を送信制御部２３に逐次出力する。
【００１０】
送信制御部２３は、送信バッファ２１から入力したデータフレームの蓄積情報と、キャリア検出部１７から入力したキャリアセンス結果に基づき、送信処理を開始するかどうかを判定する。すなわち、送信バッファ２１にデータフレームが蓄積されており、かつチャネルが空き状態の場合に、送信処理開始を判定する。それ以外の場合には、送信処理は開始しない。送信制御部２３は、送信処理開始を判定すると、送信バッファ２１に対してデータフレームを出力するように指示する。送信バッファ２１は、この指示によりバッファの先頭に蓄積されたデータフレームを無線パケット生成部２２に出力する。
【００１１】
無線パケット生成部２２は、入力したデータパケットに対して、宛先無線局アドレス、自局アドレス等の制御情報で構成されるヘッダおよび誤り検出符号を付加した無線パケットを生成し、変調部１１に出力する。変調部１１は、その無線パケットに対して所定の変調処理を施して無線送信部１２に出力する。無線送信部１２は、変調処理後の無線パケットに対して、ＤＡ変換、周波数変換、フィルタリングおよび電力増幅を含む送信処理を行い、アンテナ１３から無線信号として送信する。
【００１２】
アンテナ１３を介して受信した無線信号は、上記のように無線受信部１４でベースバンド信号に変換されて復調部１５に入力される。復調部１５は、このベースバンド信号の復調処理を行い、受信パケットとしてパケット選択部１６に出力する。
【００１３】
パケット選択部１６は、受信パケットのヘッダに含まれる制御情報を解析し、その宛先無線局アドレスが自局アドレスと一致するデータパケットの場合には、受信データパケットをヘッダ除去部２４に出力し、一致しない場合には破棄する。また、ここでは詳細な説明を省略するが、パケット選択部１６は、認証情報等が記述された管理パケットや送達確認情報等が記述された制御パケットを受信した場合には、それらの情報に基づいて認証処理等を行う管理パケット制御部（図外）や、送達確認処理等を行う制御パケット処理部（図外）にそのパケットを出力する。
【００１４】
ヘッダ除去部２４は、受信データパケットのヘッダを除去してデータフレームを抽出し、受信データフレーム系列として、当該無線局が基地局の場合には有線ネットワークへ、当該無線局が端末局の場合には接続された装置の上位レイヤへ出力する。
【００１５】
このような無線パケット通信装置を用いることにより、各無線局はキャリアセンスにより自律的にチャネルアクセス制御を行い、基地局から端末局へあるいは端末局から基地局へ無線パケットを送信することができる。
【００１６】
ところで、IEEE802.11規格では、基地局間の通信も可能にしている。基地局間の通信を行うシステムはＷＤＳ（Wireless Distribution System) と呼ばれ、基地局間で無線パケットの転送が行われる。例えば、ＷＤＳ対応の基地局が有線ネットワーク間を中継するシステムである。一般に、広範囲な無線ネットワークを構築するためには、複数の基地局を設置した上で各基地局を有線で接続する必要がある。このとき、インフラストラクチャモードとＷＤＳモードを組み合わせ、複数の基地局を無線媒体で接続して無線パケットを転送する方法が考えられる。この方法では、設置した複数の基地局を無線接続できるため、有線ネットワークを敷設する必要がなく、簡易に広範囲な無線ネットワークを構築することができる。
【非特許文献１】IEEE802.11, "Wireless LAN Medium Access Control (MAC) and Physical (PHY) Layer Specifications", August 1999
【非特許文献２】802.11高速無線ＬＡＮ教科書、ＩＤＧジャパン
【発明の開示】
【発明が解決しようとする課題】
【００１７】
一般に、無線通信では同一周波数チャネルで複数の無線局から同時に送信された無線パケットは、互いに干渉して正常に受信されない。そのため、同一周波数チャネルを使用する基地局間には十分な距離が必要となる。例えば、図４に示すように、同一周波数チャネルを使用する基地局（ＡＰ）を配置するときには、各基地局の無線セルが重複しないような置局設計を行う必要がある。しかし、基地局間の通信を行うＷＤＳでは、当然のことながら、図５に示すように、各基地局（ＡＰ）の無線セルに通信相手の基地局が含まれる必要がある。
【００１８】
ところで、IEEE802.11システムの無線パケット通信装置は、自局が送信していないときに、自局が使用する周波数チャネルに対するキャリアセンスは行っているが、それ以外の周波数チャネルは監視していないため、他の周波数チャネルで送信されている信号を受信することはできない。したがって、基地局間で無線パケットを転送して広範囲な無線ネットワークを構築するためには、全ての基地局を同一周波数チャネルで運用する必要がある。その結果、図５に示すように、同一周波数チャネルを使用する基地局が近傍に配置され、互いの無線セルが重複することになり、各無線ネットワークにおけるスループットが著しく低下する。
【００１９】
本発明は、各無線セルにおけるスループットの低下を回避し、基地局間で無線パケットの転送を行うことができる無線パケット通信方法、無線パケット通信装置およびシステムを提供することを目的とする。
【課題を解決するための手段】
【００２０】
請求項１は、複数の基地局が互いに異なる周波数チャネルで配下の端末局と無線パケットの送受信を行うとともに、基地局間で無線パケットを転送する無線パケット通信方法において、基地局は、他の基地局に対して無線パケットを転送する際に、転送先の基地局が使用する周波数チャネルを使用して当該無線パケットの送信処理を行う。
【００２１】
請求項２は、複数の基地局が互いに異なる周波数チャネルで配下の端末局と無線パケットの送受信を行うとともに、基地局間で無線パケットを転送する無線パケット通信方法において、基地局は、配下の端末局と無線パケットの送受信を行っているときに、他の基地局に対して無線パケットを転送する際に、配下の端末局との送受信処理とは独立に、転送先の基地局が使用する周波数チャネルを使用して当該無線パケットの送信処理を行い、転送先の基地局は、自局が使用する周波数チャネルで、配下の端末局から送信された無線パケットおよび他の基地局から自局宛てに転送された無線パケットの受信処理を行う。
【００２２】
請求項３は、複数の基地局が互いに異なる周波数チャネルで配下の端末局と無線パケットの送受信を行うとともに、基地局間で無線パケットを転送する無線パケット通信方法において、基地局は、配下の端末局と無線パケットの送受信に用いている周波数チャネルに対するキャリアセンス処理を行うとともに、他の基地局に対して無線パケットを転送するときに、転送先の基地局が使用する周波数チャネルに対するキャリアセンス処理を行う。
【００２３】
請求項４は、複数の基地局が互いに異なる周波数チャネルで配下の端末局と無線パケットの送受信を行うとともに、基地局間で無線パケットを転送する無線パケット通信装置において、基地局の配下の端末局と所定の周波数チャネルを使用して無線パケットの送受信を行う第１の送受信処理部と、転送先の基地局が使用する周波数チャネルを使用して無線パケットの送信処理を行う第２の送受信処理部とを備え、第１の送受信処理部は、配下の端末局から送信された無線パケットおよび他の基地局から自局宛てに転送された無線パケットの受信処理を行う構成である。
【００２４】
ここで、第２の送受信処理部は、転送先の基地局の数に対応して設置され、各基地局が使用する周波数チャネルがそれぞれ設定される（請求項５）。また、第２の送受信処理部は、転送先の基地局の数よりも少ない数で設置されるときに、転送先の基地局が使用する周波数チャネルが切り替えて設定される（請求項６）。
【００２５】
請求項７は、複数の基地局が互いに異なる周波数チャネルで配下の端末局と無線パケットの送受信を行うとともに、基地局間で無線パケットを転送する無線パケット通信システムにおいて、基地局は、他の基地局に対して無線パケットを転送する際に、転送先の基地局が使用する周波数チャネルを使用して当該無線パケットの送信処理を行う手段を備える。
【００２６】
請求項８は、複数の基地局が互いに異なる周波数チャネルで配下の端末局と無線パケットの送受信を行うとともに、基地局間で無線パケットを転送する無線パケット通信システムにおいて、基地局は、配下の端末局と無線パケットの送受信を行っているときに、他の基地局に対して無線パケットを転送する際に、配下の端末局との送受信処理とは独立に、転送先の基地局が使用する周波数チャネルを使用して当該無線パケットの送信処理を行う手段を備え、転送先の基地局は、自局で使用する周波数チャネルで、配下の端末局から送信された無線パケットおよび他の基地局から自局宛てに転送された無線パケットの受信処理を行う手段を備える。
【００２７】
請求項９は、複数の基地局が互いに異なる周波数チャネルで配下の端末局と無線パケットの送受信を行うとともに、基地局間で無線パケットを転送する無線パケット通信システムにおいて、基地局は、配下の端末局と無線パケットの送受信に用いている周波数チャネルに対するキャリアセンス処理を行うとともに、他の基地局に対して無線パケットを転送するときに、転送先の基地局が使用する周波数チャネルに対するキャリアセンス処理を行う手段を備える。
【発明の効果】
【００２８】
本発明は、複数の基地局が互いに異なる周波数チャネルで配下の端末局と無線パケットの送受信を行いながら、基地局間で無線パケットを転送する際に、転送先の基地局が使用する周波数チャネルを使用して当該無線パケットを送信することができる。また、転送先の基地局は、自局が使用する周波数チャネルで、配下の端末局から送信された無線パケットおよび他の基地局から自局宛てに転送された無線パケットを受信することができる。
【００２９】
これにより、各無線ネットワークのスループットを低下させることなく、基地局間で無線パケットの転送処理を行うことができる。また、各基地局間の転送処理は、配下の端末局とのパケット送受信とは独立に行われるため、転送処理により配下の無線局に対する無線ネットワークサービスが中断することはない。
【発明を実施するための最良の形態】
【００３０】
（第１の実施形態）
図１は、本発明の無線パケット通信装置の第１の実施形態を示す。ここでは、自局の配下の端末局とのパケット送受信に使用する１つの送受信処理部の他に、他の基地局へのパケット転送に使用する１つの送受信処理部を備える基地局としての構成例を示す。
【００３１】
図において、無線パケット通信装置は、送受信処理部１０−１，１０−２、送信バッファ２１−１，２１−２、無線パケット生成部２２−１，２２−２、送信制御部２３、ヘッダ除去部２４および転送制御部２５を備える。送受信処理部１０−１，１０−２は、それぞれ変調部１１、無線送信部１２、アンテナ１３、無線受信部１４、復調部１５、パケット選択部１６、キャリア検出部１７を備える。ただし、送受信処理部１０−１は、自局の配下の端末局とのパケット送受信に用いられ、無線送信部１２および無線受信部１４に設定される周波数チャネルは、少なくとも隣接する基地局に割り当てられる周波数チャネルとは異なり、固定である。一方、送受信処理部１０−２は、他の基地局へのパケット転送に用いられ、無線送信部１２および無線受信部１４に設定される周波数チャネルは、送受信処理部１０−１で未使用かつ転送先基地局が使用している周波数チャネルに合わせて切り替え設定される。
【００３２】
送受信処理部１０−１、送信バッファ２１−１、無線パケット生成部２２−１、送信制御部２３、ヘッダ除去部２４の構成および動作は、図３に示す従来の無線パケット通信装置と同様であり、配下の端末局と無線パケットの送受信が行われる。また、送受信処理部１０−２の構成および動作は、送受信処理部１０−１と同様である。
【００３３】
本実施形態の特徴は、送信バッファ２１−２、無線パケット生成部２２−２および転送制御部２５により転送パケットを生成し、送受信処理部１０−２を介して転送先基地局に対して送信するところにある。
【００３４】
送信バッファ２１−２には、他の基地局に転送するためのデータフレーム（転送フレーム）のみが入力され、転送フレームに関する情報（データフレーム数、データサイズ、データフレームの宛先アドレス等）が転送制御部２５に通知される。また、送受信処理部１０−１のパケット選択部１６は、復調部１５から入力した受信パケットが転送フレームを含む場合には、その転送フレームを送信バッファ２１−２に出力する。
【００３５】
転送制御部２５は、送信バッファ２１−２から入力した転送フレームの蓄積情報により、送信バッファ２１−２に蓄積された転送フレームのうちの１つのフレーム、例えば先頭に位置するフレームの宛先無線局アドレスに基づいて、転送先基地局のアドレスを識別する。ここでは、転送フレームと転送先基地局の対応付けを行う方法について詳細に記載しないが、例えば転送制御部２５が転送フレームの宛先無線局アドレスと転送先基地局とを対応付けるリストを備えることにより実現可能であり、他の方法を用いてもよい。また、転送制御部２５は、転送先基地局とそれが使用する周波数チャネルを対応付けたリストを備え、送受信処理部１０−２の無線送信部１２および無線受信部１４に対してその周波数チャネルで送受信を行うように指示する。送受信処理部１０−２の無線送信部１２および無線受信部１４は、転送制御部２５の指示（転送先基地局）に応じて送受信を行う周波数チャネルを切り替える。
【００３６】
送受信処理部１０−２のキャリア検出部１７は、転送先基地局が使用する周波数チャネルのキャリアセンス結果を転送制御部２５に出力する。転送制御部２５は、送信バッファ２１−２から入力した転送フレームの蓄積情報と、キャリア検出部１７から入力したキャリアセンス結果に基づき、送信処理を開始するかどうかを判定する。すなわち、送信バッファ２１−２に転送フレームが蓄積されており、かつ周波数チャネルが空き状態の場合に、転送処理開始を判定する。転送制御部２５は、転送処理開始を判定すると、送信バッファ２１−２に対して転送フレームを出力するように指示する。送信バッファ２１−２は、この指示によりバッファの先頭に蓄積された転送フレームを無線パケット生成部２２−２に出力する。以下、同様にして転送フレームが送受信処理部１０−２から無線パケットとして送信される。
【００３７】
このように、基地局が転送先基地局に対して無線パケットを送信する際には、転送先基地局が配下の端末局とのパケット送受信に用いている周波数チャネルを用いることにより、その端末局と同列のキャリアセンスによって送信権を獲得することができ、基地局間のパケット転送を実現することができる。また、転送先基地局においても、自局が使用する周波数チャネルで、配下の端末局から送信された無線パケットの受信処理と同様に、他の基地局から自局宛てに転送された無線パケットの受信処理を行うことができる。この受信処理によるＡＣＫパケットは同じ周波数チャネルで送信され、転送元の基地局の送受信処理部１０−２の無線受信部１４で受信され、復調部１５およびパケット選択部１６を介して転送制御部２５にＡＣＫ情報が通知される。
【００３８】
ところで、送受信処理部１０−１，１０−２で使用する周波数チャネルは、互いに電力漏洩等の影響を受けないことを想定しており、それぞれ独立して動作できる。このような動作を実現するための周波数チャネル選択方法について以下に説明する。
【００３９】
IEEE802.11ａ規格で規定されている周波数チャネルの数は４であり、各周波数チャネルにおける無線信号の電力が隣接する周波数チャネルに漏洩しないように信号の帯域幅および中心周波数間隔が規定されている。しかし、理想的に帯域外電力をカットするフィルタを作製することは困難であり、実際の無線パケット通信装置では近隣の周波数チャネルへの若干の電力漏洩が避けられない。
【００４０】
本発明の無線パケット通信装置のように、複数のアンテナおよび送受信処理部を備え、各送受信処理部に互いに異なる周波数チャネルが設定される場合には、一方の周波数チャネルから他方の周波数チャネルへの電力漏洩は大きくなる。このような電力漏洩の問題を回避して複数の周波数チャネルで送受信処理を行うためには、各アンテナ間で漏洩電力が許容できる程度に小さい周波数チャネルの組み合わせを選択する必要がある。すなわち、例えば２つのアンテナに、互いに異なる周波数チャネルを割り当て、一方のアンテナから送信した無線信号を他方のアンテナで受信したときの受信電力が所定の閾値以下となる周波数チャネルの組み合わせを求め、各送受信処理部に割り当てる周波数チャネルの組として選択する。アンテナおよび送受信処理部が３以上ある場合には、各アンテナ間で同様の処理を行い、漏洩電力が許容値以下になる周波数チャネルの組み合わせを決定する。
【００４１】
このようにして選択された周波数チャネルを各基地局に割り当てることにより、基地局は、自局の配下の端末局とパケット送受信を行いながら、転送先基地局で使用している周波数チャネルを用いてパケット転送を行うことができる。また、パケット転送用の送受信処理部が複数ある場合には、複数の転送先基地局に対して同時にパケット転送を行うことができる。
【００４２】
なお、実際に無線媒体で複数の無線ネットワークを接続する無線パケット通信システムを想定すると、有線ネットワークに接続された無線パケット通信装置（マスタ基地局）と、無線媒体のみを介して他の無線パケット通信装置と接続された無線パケット通信装置（スレーブ基地局）の２種類の装置が存在することになる。この両装置は、いずれも図１に示す無線パケット通信装置の構成によって実現可能である。ただし、マスタ基地局には、転送パケットの経路を管理する機能などを付加する。また、スレーブ基地局の送信バッファ２１−２に入力する転送データフレーム系列は、送受信処理部１０−１のパケット選択部１６から出力されたもののみとなる。
【００４３】
また、本実施形態では、送信データフレーム系列が入力される送信バッファ２１−１と、転送データフレーム系列が入力される送信バッファ２１−２をそれぞれ個別に構成しているが、これらを１つの送信バッファとすることが可能である。この場合には、転送制御部２５の機能を送信制御部２３が担い、送信バッファの管理を行うようにすればよい。
【００４４】
（第２の実施形態）
図２は、本発明の無線パケット通信装置の第２の実施形態を示す。本実施形態の特徴は、第１の実施形態において、転送パケットの送信処理を行う送受信処理部１０−２、送信バッファ２１−２、無線パケット生成部２２−２および転送制御部２５（転送処理系）を複数組備え、転送データフレーム系列をルータ２６を介していずれかの送信バッファにルーティングするところにある。
【００４５】
ここで、各送受信処理部１０−２，１０−３の無線送信部１２および無線受信部１４の周波数チャネルが転送先基地局に合わせてそれぞれ固定であれば、ルータ２６は転送データフレーム系列の転送先基地局に応じた転送処理系の送信バッファを判定して出力する。また、転送処理系に対して宛先基地局の数が多い場合には、ルータ２６で転送処理系を選択するとともに、第１の実施形態のように転送制御部２５−２，２５−３からの制御により、転送先基地局に応じた周波数チャネルを行うようにすればよい（図２の状態）。また、ルータ２６は、転送データフレーム系列の転送先基地局に応じたルーティング処理は行わず、単純に各転送処理系に振り分ける機能だけをもち、各転送処理系で転送先基地局に対応する周波数チャネルの設定を行うようにしてもよい。
【図面の簡単な説明】
【００４６】
【図１】本発明の無線パケット通信装置の第１の実施形態を示す図。
【図２】本発明の無線パケット通信装置の第２の実施形態を示す図。
【図３】従来の無線パケット通信装置の構成例を示す図。
【図４】無線セルの配置例を示す図。
【図５】無線セルの配置例を示す図。
【符号の説明】
【００４７】
１０  送受信処理部
１１  変調部
１２  無線送信部
１３  アンテナ
１４  無線受信部
１５  復調部
１６  パケット選択部
１７  キャリア検出部
２１  送信バッファ
２２  無線パケット生成部
２３  送信制御部
２４  ヘッダ除去部
２５  転送制御部
２６  ルータ
【図１】
2006067297.tif 000003
【図２】
2006067297.tif 000004
【図３】
2006067297.tif 000005
【図４】
2006067297.tif 000006
【図５】
2006067297.tif 000007